(57)【要約】【課題】  ディスクの回転角速度または回転線速度を、標準速度より速い速度で回転させてデータを再生するディスク再生装置およびディスク再生方法であって、偏重心ディスクもしくは偏芯ディスクであっても、ディスクの共振による異音の発生を防いで、早いデータ読み出しを可能にする。【解決手段】  ディスクを第１速度で回転させた場合のトラッキングゲイン値が所定の閾値よりも大きい場合には、回転速度を落として第２速度でさらに回転させ、さらに第２速度で回転させた場合のトラッキングゲイン値が所定閾値以下に小さくなる（偏重心ディスクと判断する）場合には、そのまま第２速度で回転させてデータ再生し、さらに第２速度で回転させた場合のトラッキングゲイン値が所定閾値よりも大きくなる（偏芯ディスクと判断する）場合には、回転速度を再び第１速度で回転させてデータ再生する。【選択図】  図１
2011192336.tif 000002
【特許請求の範囲】
【請求項１】
ディスクの回転角速度または回転線速度を、標準速度より速い第１速度で、または、該標準速度以上に速く且つ該第１速度より遅い第２速度で回転させてデータを再生するディスク再生装置であって、
該ディスクを該第１速度で回転させた場合に検出される該ディスクのトラッキングゲイン値が所定の閾値よりも大きい場合には、該ディスクの回転速度を落として該第２速度でさらに回転させ、
該ディスクをさらに該第２速度で回転させた場合に検出される該ディスクの該トラッキングゲイン値が該所定閾値以下に小さくなる場合には、該ディスクの回転速度をそのまま該第２速度で回転させてデータ再生し、
該ディスクをさらに該第２速度で回転させた場合に検出される該ディスクの該トラッキングゲイン値が該所定閾値よりも大きくなる場合には、該ディスクの回転速度を再び該第１速度で回転させてデータ再生する、ディスク再生装置。
【請求項２】
ディスクの回転角速度または回転線速度を、標準速度より速い第１速度で、または、該標準速度以上に速く且つ該第１速度より遅い第２速度で回転させてデータを再生するディスク再生方法であって、
該ディスクを該第１速度で回転させた場合に検出される該ディスクのトラッキングゲイン値が所定の閾値よりも大きい場合には、該ディスクの回転速度を落として該第２速度でさらに回転させるステップと、
該ディスクをさらに該第２速度で回転させた場合に検出される該ディスクの該トラッキングゲイン値が該所定閾値以下に小さくなる場合には、該ディスクの回転速度をそのまま該第２速度で回転させてデータ再生するステップと、
該ディスクをさらに該第２速度で回転させた場合に検出される該ディスクの該トラッキングゲイン値が該所定閾値よりも大きくなる場合には、該ディスクの回転速度を再び該第１速度で回転させてデータ再生するステップと、を含むディスク再生方法。
【発明の詳細な説明】
【技術分野】
【０００１】
本発明は、ディスクの回転角速度または回転線速度を、標準速度より速い速度で回転させてデータを再生するディスク再生装置およびディスク再生方法であって、偏重心ディスクもしくは偏芯ディスクであっても、ディスクの共振による異音の発生を防いで、早いデータ読み出しが可能なディスク再生装置およびディスク再生方法に関する。
【背景技術】
【０００２】
光ディスクを回転させてデータを再生するディスク再生装置においては、ディスクに記録されている音声映像信号、あるいは、データを短時間で早く読み出すために、ディスクに規定の標準速度より速い速度で回転させてデータを再生するディスク再生装置がある。代表的には、コンパクトディスク（登録商標、以下ＣＤ）またはＣＤ−ＲＯＭが再生可能なＣＤ−ＲＯＭドライブの場合には、線速度一定：ＣＬＶの標準速度、あるいは、角速度一定：ＣＡＶの標準速度、に対して、それぞれ、例えば、２倍速（×２ＣＬＶ）、４倍速（×４ＣＬＶ）、１０倍速（×１０ＣＡＶ）、あるいは、３２倍速（×３２ＣＡＶ）、などで高速に回転させて、ディスクに記録されているデータを再生するものがある。
【０００３】
ディスク再生装置において標準速度より速い速度でディスクを回転させる場合には、ディスクの偏重心もしくは偏芯が、データ読み出しの精度に影響を与える場合がある。ＰＣＭ音声信号データを記録したＣＤのリッピングにおいて、ディスクの回転速度が×３２ＣＡＶなどに速くなると、ディスクの偏重心に起因して共振が発生して異音が出る、あるいは、データ読み出しが出来なくなる、等の問題がある。したがって、偏重心ディスクの場合にも、ディスクの共振による異音の発生を防いで、早いデータ読み出しが可能なディスク再生装置およびディスク再生方法が要望されている。
【０００４】
従来には、例えば、ディスクを標準線速度より速い線速度となるような第１の回転速度で回転させて前記ディスクのデータを再生するディスク再生装置によるディスク再生方法であって、ディスクを前記第１の回転速度で回転させることにより発生する前記ディスク再生装置の振動が所定量より大きい場合には、偏重心ディスクと判別して前記第１の回転速度より遅い第２の回転速度で前記ディスクを回転させてデータの再生を行うことを特徴とするディスク再生方法がある。また、ディスクを標準線速度より速い線速度となるような第１の回転速度で回転させて前記ディスクのデータを再生するディスク再生装置によるディスク再生方法であって、前記ディスクの偏重心に関する情報が所定値より小さい場合には、前記ディスクの回転速度を前記第１の速度にしてディスクの再生を行い、前記ディスクの偏重心に関する情報が所定値より大きい場合には、前記ディスクの回転速度を前記第１の速度より遅い第２の速度にしてディスクの再生を行うことを特徴とするディスク再生方法がある（特許文献１）。
【０００５】
また、回転している記録媒体上に光ビームを収束照射する収束手段と、前記収束手段を記録媒体上のトラックを横切る方向に移動する移動手段と、記録媒体上のトラックと光ビームの位置に応じた信号を出力するトラックずれ検出手段と、前記トラックずれ検出手段の信号に基づき、前記移動手段を駆動し、光ビームが常にトラックを走査するように制御するトラッキング制御手段と、記録媒体の偏心を検出する偏心検出手段と、前記偏心検出手段で検出した偏心情報に応じて、前記記録媒体の回転数を切り換える回転制御手段とを備えた記録再生装置がある（特許文献２）。
【先行技術文献】
【特許文献】
【０００６】
【特許文献１】特許第３３８２２０４号公報
【特許文献２】特開平８−５５４２２号公報
【０００７】
しかしながら、偏重心または偏芯に関して正常なディスクとは言えない偏重心ディスクまたは偏芯ディスクであって、共振を起こす可能性がありそうなディスクを高速に回転させて、ディスクに記録されているデータを再生する場合（例えば、ＣＤのリッピング時。）に、この共振による異音を避けるようにディスク回転速度を落とすと、データ読み出し時間が長くなるという問題がある。また、偏重心ディスクまたは偏芯ディスクを判別するのに際して、ピックアップのトラッキングゲイン値を観測し、トラッキングゲイン値が大きいものは偏重心または偏芯が大きいディスクとみなして、ディスク回転速度を落とすディスク再生装置があるが、本来は共振による異音を発生させる恐れのない単なる偏芯ディスク（すなわち、共振を発生させる偏重心ディスクではないディスク）でも、ある一定の偏芯量を超えるとトラッキングゲイン値が大きくなるので、ディスク回転速度を落としてしまい、その結果、データ読み出し時間が長くなるという問題がある。
【発明の概要】
【発明が解決しようとする課題】
【０００８】
本発明は、上記の従来技術が有する問題を解決するためになされたものであり、その目的は、ディスクの回転角速度または回転線速度を、標準速度より速い速度で回転させてデータを再生するディスク再生装置およびディスク再生方法であって、偏重心ディスクもしくは偏芯ディスクであっても、ディスクの共振による異音の発生を防いで、早いデータ読み出しが可能なディスク再生装置およびディスク再生方法を提供することにある。
【課題を解決するための手段】
【０００９】
本発明のディスク再生装置は、ディスクの回転角速度または回転線速度を、標準速度より速い第１速度で、または、標準速度以上に速く且つ第１速度より遅い第２速度で回転させてデータを再生するディスク再生装置であって、ディスクを第１速度で回転させた場合に検出されるディスクのトラッキングゲイン値が所定の閾値よりも大きい（ディスクを偏重心ディスクもしくは偏芯ディスクと判断する）場合には、ディスクの回転速度を落として第２速度でさらに回転させ、ディスクをさらに第２速度で回転させた場合に検出されるディスクのトラッキングゲイン値が所定閾値以下に小さくなる（ディスクを偏重心ディスクと判断する）場合には、ディスクの回転速度をそのまま第２速度で回転させてデータ再生し、ディスクをさらに第２速度で回転させた場合に検出されるディスクのトラッキングゲイン値が所定閾値よりも大きくなる（ディスクを偏芯ディスクと判断する）場合には、ディスクの回転速度を再び第１速度で回転させてデータ再生する。
【００１０】
また、本発明のディスク再生方法は、ディスクの回転角速度または回転線速度を、標準速度より速い第１速度で、または、標準速度以上に速く且つ第１速度より遅い第２速度で回転させてデータを再生するディスク再生方法であって、ディスクを第１速度で回転させた場合に検出されるディスクのトラッキングゲイン値が所定の閾値よりも大きい（ディスクを偏重心ディスクもしくは偏芯ディスクと判断する）場合には、ディスクの回転速度を落として第２速度でさらに回転させるステップと、ディスクをさらに第２速度で回転させた場合に検出されるディスクのトラッキングゲイン値が所定閾値以下に小さくなる（ディスクを偏重心ディスクと判断する）場合には、ディスクの回転速度をそのまま第２速度で回転させてデータ再生するステップと、ディスクをさらに第２速度で回転させた場合に検出されるディスクのトラッキングゲイン値が所定閾値よりも大きくなる（ディスクを偏芯ディスクと判断する）場合には、ディスクの回転速度を再び第１速度で回転させてデータ再生するステップと、を含む。
【００１１】
以下、本発明の作用について説明する。
【００１２】
本発明のディスク再生装置、または、ディスク再生方法では、ディスクの回転角速度または回転線速度を、標準速度より速い第１速度で、または、標準速度以上に速く且つ第１速度より遅い第２速度で回転させてデータを再生する。このディスク再生装置またはディスク再生方法では、ディスクを第１速度で回転させた場合と、ディスクを第２速度で回転させた場合とで、それぞれの場合のトラッキングゲイン値が、所定閾値よりも大きいか、所定閾値以下であるか、を判断することにより、そのディスクが偏重心ディスクであるか、もしくは、偏芯ディスクであるか、を判断する。
【００１３】
最初に、ディスクを標準速度より速い第１速度で回転させて、ピックアップを介して検出されるディスクのトラッキングゲイン値が、所定の閾値よりも大きい場合には、ディスクを偏重心ディスクもしくは偏芯ディスクのいずれかであると判断する。そして、ディスクを第１速度より遅い第２速度でさらに回転させて、ディスクのトラッキングゲイン値が所定閾値以下に小さくなる場合には、そのディスクを偏重心ディスクと判断して、ディスクの回転速度をそのまま第２速度で回転させてデータ再生する。したがって、再生するディスクが共振を発生させる恐れが高い偏重心ディスクであっても、第２速度まで回転速度を低下させることで、偏重心ディスクの共振による異音の発生を防ぐことができる。
【００１４】
次に、ディスクを第１速度より遅い第２速度でさらに回転させて、ディスクのトラッキングゲイン値が所定閾値よりも大きくなる場合には、そのディスクを偏重心ディスクではない偏芯ディスクと判断する。偏重心ディスクではない単なる偏芯ディスクは、トラッキングゲイン値が大きくなるものの、本来は共振を発生させる恐れが低い。そこで、ディスクの回転速度を遅い第２速度から再び第１速度に上げて回転させてデータ再生することにより、異音が発生することもなく、データ読み出し時間を短くすることが出来る。
【発明の効果】
【００１５】
本発明のディスク再生装置、または、ディスク再生方法は、検出されるディスクのトラッキングゲイン値を、偏重心ディスクもしくは偏芯ディスクのいずれかであると判断する基準にしながらも、遅い第２速度で回転させて偏重心ディスクの共振による異音の発生を抑止して、さらに、共振による異音を発生させる恐れが低い単なる偏心ディスクでは、速い第１速度で回転させてデータ読み出し時間を短くすることができる。
【図面の簡単な説明】
【００１６】
【図１】本発明のディスク再生装置１を説明するブロックダイアグラムである。（実施例１）
【図２】本発明のディスク再生装置１の動作を説明するフローチャートである。（実施例１）
【発明を実施するための形態】
【００１７】
以下、本発明の好ましい実施形態によるディスク再生装置およびディスク再生方法について説明するが、本発明はこれらの実施形態には限定されない。
【実施例１】
【００１８】
図１は、本発明の好ましい実施形態によるディスク再生装置１を説明するブロックダイアグラムである。具体的には、図１のディスク再生装置１は、ＣＤまたはＣＤ−ＲＯＭが再生可能なＣＤ−ＲＯＭドライブであり、ディスク２をＣＡＶの標準速度に対して、１０倍速（×１０ＣＡＶ。）、あるいは、３２倍速（×３２ＣＡＶ。）で回転させて、ディスクに記録されているデータを再生するディスク再生装置である。なお、図１のディスク再生装置１において、例えば、電源回路等の本実施例の説明に不要な部分は、記載を省略している。
【００１９】
本実施例のディスク再生装置１は、音声信号が記録されているＣＤであるディスク２を、標準速度よりも速い１０倍速又は３２倍速で回転させて、高速に音声信号データを読み出す（リッピングする）ことが可能なディスク再生装置である。ディスク再生装置１において、ディスク２は、ヨーク３およびマグネット４を含むクランパー５と、このクランパー５と磁力によって連結するターンテーブル６との間に狭持される。回転するターンテーブル６は、磁力が作用する磁性体を含み、スピンドルモーター８のスピンドル７に連結している。メカシャーシー９に固定されるスピンドルモーター８は、カム１０により上下動する。
【００２０】
したがって、ディスク２をディスク再生装置１にローディングすると、カム駆動回路１１により動くカム１０がターンテーブル６を上方に移動させるので、ディスク２の中心部分をクランパー５とターンテーブル６とが狭持する結果、ディスク２は回転可能になる。また、ディスク２をディスク再生装置１から排出する場合には、カム駆動回路１１により動くカム１０がターンテーブル６を下方に移動させるので、クランパー５とターンテーブル６とからディスク２の中心部分が開放される結果、ディスク２は取り出し可能になる。カム駆動回路１１は、ディスク再生装置１の各回路を制御する制御回路１６により制御される。具体的には、制御回路１６はマイコンであり、図１では図示を省略しているものの、例えば、使用者が操作してディスクの再生指示、停止指示、ディスク２のローディング、取り出し、等を入力する（図示しない）スイッチ入力回路、あるいは、後述する復調回路１４、光ピックアップサーボ回路１５、等の他の回路に接続している。
【００２１】
スピンドルモーター８は、スピンドルサーボ回路１２により、その回転速度が制御される。スピンドルサーボ回路１２は、ＲＦ増幅回路と同期検出回路とＰＬＬとを含む復調回路１４に接続する。また、ディスク２に対峙して記録信号を読み取る光ピックアップ回路１３は、光ピックアップとレーザーダイオードと、を含み、フォーカスサーボ回路とトラッキングサーボ回路とピックアップモーター制御回路とを含む光ピックアップサーボ回路１５により、その動きが制御される。光ピックアップ回路１３および光ピックアップサーボ回路１５は、復調回路１４に接続する。光ピックアップ回路１３を介してディスク２から読み出されるＲＦ信号は、復調回路１４に入力される。復調回路１４の出力は、信号処理回路１７に入力されて音声信号データに変換され、出力端子１８に出力される。
【００２２】
したがって、ディスク２が、音声信号が記録されているＣＤである場合には、制御回路１６が、ディスク２を１０倍速で回転させるのか、又は、３２倍速で回転させるのか、を制御してディスク２をリッピングすることができる。制御回路１６は、少なくとも復調回路１４を介してスピンドルサーボ回路１２と、光ピックアップ回路１３と、光ピックアップサーボ回路１５と、信号処理回路１７とに接続しており、１０倍速又は３２倍速のいずれの回転速度であっても、高速に音声信号データを読み出すことができる。
【００２３】
ここで、ディスク再生装置１の光ピックアップサーボ回路１５のトラッキングサーボ回路では、ディスク２を高速で回転させるにつれて、光ピックアップのトラッキングゲイン値が大きくなるという傾向がある。また、ディスク２が、高速で回転させると共振が発生して異音が出ることがある偏重心ディスクまたは偏芯ディスクの場合には、偏重心・偏芯ではない正常なディスクの場合に比較して、光ピックアップサーボ回路１５のトラッキングサーボ回路でピックアップのトラッキングゲイン値が大きくなる。したがって、本実施例のディスク再生装置１では、ディスク２をリッピングする場合に、制御回路１６が、光ピックアップサーボ回路１５でのトラッキングゲイン値を検知して、スピンドルサーボ回路１２を制御し、ディスク２の回転速度を変更する。
【００２４】
図２は、ディスク再生装置１の動作を説明するフローチャートである。ディスク再生装置１においてディスク２をリッピングする場合には、使用者がディスク再生装置１のスイッチ入力回路を操作すると、制御回路１６にリッピングキーＩＮというディスク２をリッピングする動作を開始させる命令が入力される（Ｓ１）。リッピングに際して、ディスク２を標準速度で回転させると読み出し時間が長くなるので、制御回路１６は、リッピングキーが入力されるとディスク２を標準速度の３２倍速で高速回転させる（Ｓ２）。
【００２５】
次に、制御回路１６は、ディスク２を３２倍速で回転させる際の光ピックアップサーボ回路１５でのトラッキングゲイン値Ｇ３２を得て、所定の閾値Ａを超えているかどうかを判断する（Ｓ３）。例えば、この所定の閾値Ａは、偏重心のテストディスク（偏重心量：０．４５ｇｃｍ）の場合に検出されるトラッキングゲイン値に基づく値である。したがって、トラッキングゲイン値Ｇ３２が所定の閾値Ａ以下であれば、制御回路１６は、ディスク２を高速で回転させても異音の発生が見込まれない偏重心ではないディスク、もしくは、偏芯ではないディスク、と判断する（Ｓ３：Ｎｏ）。その結果、制御回路１６は、そのままディスク２を３２倍速で回転させて、リッピングを開始してデータを再生する（Ｓ４）。
【００２６】
一方で、光ピックアップサーボ回路１５でのトラッキングゲイン値Ｇ３２が所定の閾値Ａを超えていれば（Ｓ３：Ｙｅｓ）、制御回路１６は、ディスク２を偏重心ディスクもしくは偏芯ディスクのいずれかであると判断する。したがって、制御回路１６は、ディスク２の回転速度を３２倍速から標準速度の１０倍速に速度を落として回転させる（Ｓ５）。そして、制御回路１６は、ディスク２を１０倍速で回転させる際の光ピックアップサーボ回路１５でのトラッキングゲイン値Ｇ１０を得て、これが所定の閾値Ａ以下であるかどうかを判断する（Ｓ６）。
【００２７】
ディスク２を１０倍速で回転させて、トラッキングゲイン値Ｇ１０が所定の閾値Ａ以下に小さくなる場合には、制御回路１６は、そのディスク２を偏重心ディスクと判断して（Ｓ６：Ｙｅｓ）、ディスク２の回転速度をそのまま１０倍速にして、リッピングを開始してデータを再生する（Ｓ４）。偏重心ディスクは、回転の中心軸に対して重心が偏っているので、速度が速くなるほど大きな慣性モーメントが働いて回転ブレが大きく発生し、共振が発生する。その一方で、偏重心ディスクは、速度が遅くなるほど回転ブレも小さくなるので、トラッキングゲイン値Ｇは小さくなり、共振が発生しなくなる。したがって、再生するディスク２が共振を発生させる恐れが高い偏重心ディスクであっても、１０倍速まで回転速度を低下させることにより異音の発生を防ぐことができる。
【００２８】
また、ディスク２を１０倍速で回転させて、トラッキングゲイン値Ｇ１０が所定の閾値Ａ以下に小さくならない場合には、制御回路１６は、そのディスク２を偏芯ディスクと判断して（Ｓ６：Ｎｏ）、ディスク２の回転速度を再び３２倍速に上げて（Ｓ７）、リッピングを開始してデータを再生する（Ｓ４）。偏芯ディスクは、回転の中心軸に対して追従するトラックの軌跡が偏っているので、速度が遅くなってもトラッキングゲイン値Ｇは小さくなりにくいからである。つまり、ディスク２が、偏重心ディスクではない単なる偏芯ディスクである場合には、光ピックアップサーボ回路１５でのトラッキングゲイン値Ｇが大きくなるものの、ディスク２の回転速度を再び３２倍速に上げても、共振を発生させる恐れが低い。したがって、ディスク再生装置１では、ディスク２の回転速度を遅い１０倍速から再び３２倍速に上げて回転させてデータ再生することにより、異音が発生することもなく、リッピングでのデータ読み出し時間を短くすることが出来る。
【００２９】
すなわち、本発明のディスク再生装置１では、３２倍速でのディスク２のトラッキングゲイン値Ｇ３２を検出し、制御回路１６が、これを偏重心ディスクもしくは偏芯ディスクのいずれかであると所定の閾値Ａと比較して判断しながらも、１０倍速に遅くしたときのディスク２のトラッキングゲイン値Ｇ１０を検出して、これを閾値Ａと比較して、ディスク２が偏重心ディスクであるか、または、偏芯ディスクであるかを制御回路１６が判断する。ディスク２が偏重心ディスクである場合には、制御回路１６は、１０倍速で回転させて偏重心ディスク２の共振による異音の発生を抑止する。さらに、ディスク２が共振による異音を発生させる恐れが低い単なる偏芯ディスクである場合には、速い３２倍速で回転させてデータ読み出し時間を短くすることができる。
【００３０】
なお、上記のディスク再生装置１では、ディスク２の回転角速度（ＣＡＶ）を３２倍速と１０倍速との間で切り替えているが、本発明のディスク再生方法は、ディスク２を回転させる速度は、回転線速度（ＣＬＶ）を標準速度より速い第１速度で、または、標準速度以上に速く且つ第１速度より遅い第２速度で回転させるものを含む。ディスク再生装置１がディスク２をＣＬＶで回転させるか、ＣＡＶで回転させるかに関わらず、標準速度より速い第２速度は、偏重心のテストディスクを共振と異音とを発生させずに回転させることが出来る回転速度であればよい。
【００３１】
また、上記の実施例のディスク再生装置１では、３２倍速でのトラッキングゲイン値Ｇ３２に対応する所定の閾値Ａを設けて、第１速度である３２倍速と、これよりも遅い第２速度である１０倍速と、の２段階で回転速度を変更しているが、複数の回転速度でのトラッキングゲイン値Ｇのそれぞれに対応する所定の複数の閾値Ａ設けて、標準速度より速い３段階以上の複数の回転速度でディスク２を回転させるようにしてもよい。偏重心ディスクの共振による異音の発生を抑止して、さらに、共振による異音を発生させる恐れが低い単なる偏心ディスクでは、速い回転速度で回転させてデータ読み出し時間を短くすることができる。
【００３２】
また、上記のディスク再生装置１はＣＤ-ＲＯＭドライブであるが、記録が可能なパーソナルコンピューター等に内蔵される記録再生装置に含まれていても良い。また、ディスク再生装置１のディスク２は、ＣＤに限らず、ＤＶＤ、ＤＶＤ−ＲＯＭ、ＢＤなどを再生するディスクであってもよい。
【産業上の利用可能性】
【００３３】
本発明のディスク再生装置およびディスク再生方法は、上記のような光ディスクのみならず、光磁気ディスクの再生装置にも適用が可能である。
【符号の説明】
【００３４】
１          ディスク再生装置
２          ディスク
３          ヨーク
４          マグネット
５          クランパー
６          ターンテーブル
７          スピンドル
８          スピンドルモーター
９          メカシャーシー
１０          カム
１１          カム駆動回路
１２          スピンドルサーボ回路
１３          光ピックアップ回路
１４          復調回路
１５          光ピックアップサーボ回路
１６          制御回路
１７          信号処理回路
１８          出力端子
【図１】
2011192336.tif 000003
【図２】
2011192336.tif 000004